(57)【特許請求の範囲】
【請求項１】
信号線路の途中に設け、左右いずれか一方の端面から入力された信号を増幅して他方の端面から出力する高周波増幅器であって、
ケーブル接続端子が設けられたハウジング本体と、前記本体を閉塞する蓋体と、下り信号増幅回路及び上り信号増幅回路等の高周波増幅回路を含む全ての回路が組み付けられ、前記本体内に組み込まれる１個のユニットとを備え、
前記本体に対して前記１個のユニットを前後面を変えずに左右反転可能とし、前記ユニットの反転により信号の入出力方向を左右反転可能としたことを特徴とする高周波増幅器。
【請求項２】
ハウジング下面に窓を形成すると共に、ユニットの対応する上下２ヶ所に前記ユニットの向きを表示するための表示具を配置し、前記窓を介して外部から前記表示具を視認可能とした請求項１記載の高周波増幅器。
【請求項３】
ユニットの左右端面中央位置に線路信号を測定する測定端子部を設けると共に、対応するハウジングの端面には、前記測定端子部に接続される測定端子を設け請求項１，２記載の高周波増幅器。
【発明の詳細な説明】
【０００１】
【発明の属する技術分野】
本発明は、高周波信号伝送路の途中に設け、伝送信号を増幅する高周波増幅器に関し、詳しくは高周波増幅器を反転することなく信号の入出力方向を反転する技術に関する。
【０００２】
【従来の技術】
ＣＡＴＶ伝送路の場合、テレビ信号や情報信号等の伝送信号は例えば７０〜７７０ＭＨｚの高周波信号でありその伝送には同軸ケーブル（以下ケーブルと称する）が使用される。ケーブルは通常メッセンジャワイヤにより電柱等の高所に配設されるため、その途中の適宜位置に設置する高周波増幅器も図７（ａ）に示すようにメッセンジャワイヤ５０に吊設されたり、また電柱等の高所に設けられることになる。
【０００３】
このように設置される高周波増幅器は、ハウジング１の一方の側面から信号が入力され、対向する他方の側面に出力されるように接続端子が配置され、更に、内部に収納された回路の保守点検や機能変更等を容易に行うことができるように、ハウジングは本体と下部が本体に蝶着された蓋体とから構成されている。そして、保守等の作業は通常バケット車等を使用し、路肩に駐車してその蓋体を解放して行なわれている。
【０００４】
【発明が解決しようとする課題】
しかし、上記従来の高周波増幅器の場合、蓋体が道路側に面している場合は容易に作業を行うことができるが、信号の方向によっては本体側が道路に面し蓋体が道路の外側を向く場合が発生し、この場合は作業空間が狭くなり作業はし辛いものとなっている。
そのため、このような作業性の問題を解決するために、図７（ｂ），（ｃ）に示すように上下を反転して蓋体を道路側に持ってきたり、ハウジングを左右に１８０度回転し、左右を反転して蓋体を道路側に持ってくる操作が行われたりしていた。
【０００５】
しかし、上下反転する方法は、信号方向は変わらないが蓋体と本体の蝶着位置が上下で反転してしまうために、作業性は大きく改善される訳ではないし、メッセンジャワイヤに支持させるためのワイヤ取付金具がハウジングの下面にも必要となる。また、左右を反転する方法はケーブル５１の信号方向とハウジングの入出力端子が逆になるため、ケーブルを反対側に迂回させ屈曲させなければならず、迂回させた際に電話線等他の信号線と近接する問題が発生したり、無理に屈曲すると、その部分のケーブルが損傷して、伝送特性の劣化を招いたりする。更に、このようにケーブルを用い高周波増幅器を設置する場合は、その重量からワイヤを保護するために、ワイヤを支持している電柱の近くに設置されるため、迂回させたワイヤが図７（ｃ）に示すように電柱５２にかかり、電柱での作業をする場合邪魔となってしまう。
【０００６】
また、このような問題を解決するために特開平８−１５４２４０号公報に示すように高周波増幅器を構成する回路を機能別にブロック化して個々のブロックを左右反転して設置可能なケース内に収納し、目的に応じてそれらケースを反転することで、信号方向等を反転させてハウジングの向きを変更することなく、逆方向の信号に対応させる技術が開示されている。しかし、この場合、ケースが複数であるため、構造が複雑となり多くの接続端子を必要とし、高価なものとなる。また、目的に応じて反転するケースの組み合わせが異なるため、作業者は操作するケースを間違えやすいし、ハウジング外からは各ケースの設置状況がわからない等の問題を有していた。
【０００７】
そこで本発明は、上記問題点に鑑み、請求項１記載の発明は信号の方向に拘わらず作業性の良好な高周波増幅器を提供する事を課題とし、請求項２記載の発明は、高周波増幅器のハウジングを開けることなく、信号の入出力方向を認識可能とすることを課題とする。
【０００８】
【課題を解決するための手段】
上記課題を解決するため、請求項１の発明は、信号線路の途中に設け、左右いずれか一方の端面から入力された信号を増幅して他方の端面から出力する高周波増幅器であって、ケーブル接続端子が設けられたハウジング本体と、前記本体を閉塞する蓋体と、下り信号増幅回路及び上り信号増幅回路等の高周波増幅回路を含む全ての回路が組み付けられ、前記本体内に組み込まれる１個のユニットとを備え、前記本体に対して前記１個のユニットを前後面を変えずに左右反転可能とし、前記ユニットの反転により信号の入出力方向を左右反転可能としたことを特徴とする。
【０００９】
請求項２の発明は、請求項１の発明において、ハウジング下面に窓を形成すると共に、ユニットの対応する上下２ヶ所に前記ユニットの向きを表示するための表示具を配置し、前記窓を介して外部から前記表示具を視認可能として構成される。
【００１０】
請求項３の発明は、請求項１，２の発明において、ユニットの左右端面中央位置に線路信号を測定する測定端子部を設けると共に、対応するハウジングの端面には、前記測定端子部に接続される測定端子を設けて構成される。
【００１２】
【発明の実施の形態】
以下、本発明を具体化した実施の形態の１例を図面を基に詳細に説明する。図１は本発明に係る高周波増幅器の外観を示し、図２は高周波増幅器のハウジングを開けた様子を示している。尚、図２は蓋体を省略してある。
図示するように、ハウジング１は金属製の本体２と蓋体３とから成り、両者は双方の下面に突設した２個のヒンジ部４により互いに蝶着され、蓋体３が開閉可能に形成され、内部にはユニット化された高周波増幅回路全体が着脱可能に組み付けられている。
【００１３】
本体２は左右側面に信号線や電力線等を接続するケーブル接続端子５を２個ずつ計４個（５ａ，５ｂ，５ｃ，５ｄ）有し、この実施の形態にあっては標準状態の場合を示し、左側に入力端子，右側に出力端子が配置され、５ａが信号の入力端子、５ｂが電力入力端子、５ｃ，５ｄが信号の出力端子となり、出力端子は２個設けられている。また、ケーブル接続端子５の中間位置である側面の中央位置には、入力信号や出力信号をモニタするための測定端子１６が設けられ、４つのケーブル接続端子５及び２つの測定端子１６はハウジングの中心線Ｍ２に対して対称位置に設けられている。
そして、本体２，蓋体３双方の上部，下部のそれぞれ対向する４カ所に、蓋体３により本体２を閉塞した際に、両者をボルト１０により圧着させ密に閉塞するためのボルト締め部１１が形成されている。
【００１４】
図３は図２のＡ部の拡大図であり、ハウジング１の本体２に形成されたケーブル接続端子５の詳細を示す図で、（ａ）は平面図、（ｂ）は断面説明図であり、（ｃ）はＮ−Ｎ矢視断面説明図である。
【００１５】
ケーブル接続端子５は、フィッティングコネクタ２２を接続可能に形成され、本体内側はフィッティングコネクタ２２の中心コンタクト２２ａをその先端方向からヘアピン状の受け金具２３により挾持し、本体の上下側面に設けたネジ締め窓１５から螺入されたネジ２４により両者を圧接し確実な接続が行われるように形成されている。また、２５はユニット側の連結端子と受け金具２３とを連結するために受け金具２３の頭部に形成されたネジ螺入孔であり、その周囲に形成されたＵ字状シールド壁３０の端面３０ａと共にハウジング開口面に平行な面を形成し、ユニット側連結端子との連結部を形成している。
また、測定端子１６はＦ形接栓座３３が装着され、内側にはその中心コンタクト３３ａが突出し、２６は絶縁スペーサ、２７はネジ締め窓１５を閉塞する盲栓、１２はメッセンジャワイヤ取付金具、１３は放熱フィンであり、１４は後述する表示窓である。
【００１６】
ユニット１７は、前面が解放された金属製筐体１８内に、解放面全体を覆うプリント基板１９が組み付けられ、ハウジング内に設けられる全ての回路はこのユニット１７の中に組み込まれている。
図４、図５を基にユニットを説明する。図４（ａ）は正面図、（ｂ）は底面図、（ｃ）は右側面図を示し、ユニット１７の各端子部は、開口面中心Ｍ１に対して対称位置に形成され、４隅底部にハウジング側ケーブル接続端子５と連結される連結端子２０が形成され、左右の側部中央には測定端子１６に連結される測定端子部９（９ａ，９ｂ）が形成され、ユニット１７を本体２に挿入した際に、双方の各連結部が連結されるようになっている。
【００１７】
連結端子２０、測定端子部９はプリント基板１９に形成され、対応する筐体１８の端子接続位置は切り取られ、プリント基板１９が露出した形と成っている。
また、プリント基板１９の上部，下部の略中央の上記中心線Ｍ１に対して対称位置には表示具として赤色ＬＥＤ２９ａ、緑色ＬＥＤ２９ｂが組み付けられ、ＬＥＤの面する筐体側部にはその発光を視認するための表示孔２８ａ，２８ｂが形成されている。尚、図１に示す本体側の表示窓１４は、ユニット１７を本体２に挿入した際に、一方の表示孔に一致するよう設けられている。
また、筐体１８左右の裏面１８ａは放熱面でもあり、ハウジング１にユニット１７が装着された際に、ハウジング１の放熱フィン１３の内壁に密着され、放熱が行われるようになっている。尚、図４（ａ）の正面図において、図示左上が入力端子部６、左下が電力入力端子部７、右辺上下の２ヶ所が出力端子部８である。
【００１８】
図５（ａ）は図４（ｂ）のＢ視図で、ユニット右端の裏面を示し、連結端子２０である出力端子部８と出力側測定端子部９ｂの構成を示している。
連結端子２０は、連結孔３５とアースパターン３６とから成り、連結孔３５はスルーホール状にプリント基板表側に形成された回路と電気的に接続され、ユニット１７装着により本体２の連結部に形成されたネジ螺入孔２５と連結される。また、アースパターン３６はシールド壁端面３０ａに重なるように形成され、ネジ螺入孔２５にプリント基板１９の連結孔３５よりネジを挿入し締め付けることで、連結端子２０とケーブル接続端子５とは確実に連結される。
また、測定端子１６に連結される測定端子部９は、図５（ｂ）の出力側測定端子部９ｂであるＣ部拡大図に示すように、プリント基板１９に切り欠き３２を形成し、本体２に設けられたＦ形接栓座の中心コンタクト３３ａを挾持する挾持片３４を基板表側に形成してある。
【００１９】
このように各連結部を設けることで、ユニット１７を本体２の所定位置に装着させれば、プリント基板１９の各連結端子２０と本体側ケーブル接続端子５が接触係合すると共に、測定端子１６の内側に突出した中心コンタクト３３ａは測定端子部９に係合し、全ての端子は連結される。
また、ユニット１７の各連結部は開口面の中心線Ｍ１に対し対称に形成されているため、開口面の向きを変えず左右反転しても連結部の位置は変わらないので本体２に装着可能となる。
【００２０】
図６はユニット内に組み付けられた高周波増幅回路のブロック図を示し、入力端子部６から入力された信号は電波分離路波器３７ａ，分岐回路３８ａを通りハイパスフィルタ３９ａを介し第１増幅部４０に入力される。そして第１増幅部４０の出力はハイパスフィルタ３９ｂを介し分岐回路３８ｂ，分配回路４１を経て２分配され、それぞれ電波分離路波器３７ｂ，３７ｃを介し出力端子部８，８から出力される。４２は上り信号を増幅する第２増幅部で前後はローパスフィルタ４３ａ，４３ｂを介して第１増幅部４０に並列に設けられている。
【００２１】
因みに、この実施の形態にあっては、ハイパスフィルタは７０〜７７０ＭＨｚの周波数を通過させ、ローパスフィルタは１０〜５５ＭＨｚの周波数を通過させている。このように、上り信号を増幅する第２増幅部をユニット内に設けても、下り方向の第１増幅器と一体にユニット内に形成されているため、ユニットを反転しても方向を間違えることが無く、常に下り方向信号を増幅すると共に、上り方向の信号を増幅することができる。
【００２２】
また、入力側測定端子部９ａは入力側の分岐回路３８ａからの分岐出力が接続され、出力側測定端子部９ｂは出力側分岐回路３８ｂの出力が接続されている。電力入力端子部７は直流に変換する電源回路４４に接続されると共に、電流通過を切り替えるスイッチ４５ａ，４５ｂ，４５ｃを介し、入出力双方に設けられた電源分離濾波器３７ａ，３７ｂ，３７ｃに接続されている。
そして、赤色ＬＥＤ２９ａ，緑色ＬＥＤ２９ｂは電源投入と共に発光してユニットの接続情報を報知する。尚、ＬＥＤの点灯には、電流制御用又は電圧制御用の素子、例えば抵抗器など用いて適切な電力が供給されている。また、この実施の形態ではＬＥＤを使用してその発光色により信号方向を表示しているが、ＬＥＤは常時点灯であっても点滅であっても良い。
【００２３】
次に、上記ユニットの装着手順を図２を基に説明する。図２は伝送信号が左から右に流れる標準状態の装着を示し、ユニット１７の入力端子部６を左側に位置させて挿入する様子を示している。ユニット１７は図示するように開口部を手前にして挿入すれば、特別な位置合わせ操作等することなく各連結部が接触係合し、連結操作することで確実に両者は連結される。尚、挿入操作はユニット左右側部に設けられたハンドル４９を持って行えばよい。
【００２４】
連結操作は、ユニット内隅部の４カ所に設けられた孔４７から本体２に設けられたネジ孔４８にネジを螺入しユニット１７を本体に固定し、続いて、プリント基板１９の４カ所の連結端子２０に設けられた連結孔３５にネジを挿入し、本体側のネジ螺入孔２５に螺入し、双方を圧接して端子間の連結を行う。
尚、この挿入操作により左右の測定端子１６の中心コンタクト３３ａは測定端子部９に連結されると共に、表示窓１４からは赤色ＬＥＤ２９ａの発光を確認することができる。
【００２５】
伝送信号が右から左へ流れる標準とは逆の場合は、前後面の向きは変えずユニット１７を１８０度回転即ち左右反転して、上記と同様の挿入，連結操作により、ユニット１７を本体２に装着すればよい。但し、この場合、ハウジング１の各ケーブル接続端子５は５ａ，５ｂが出力端子、５ｃが電力端子、５ｄが入力端子となり、１６ａが出力側測定端子、１６ｂが入力側測定端子となる。
そして、ユニットの反転挿入操作により表示窓１４からは緑色ＬＥＤ２９ｂの発光を確認できる。そのため、発光色による信号方向を表示窓１４の近くに表示しておけばユニットの方向を外部から認識できる。
【００２６】
このように、ネジ止めすることで、ユニットとハウジング本体、また各端子同士は確実に固定され連結される。また、ユニットの各連結端子の配置をユニット中心線に対して対称位置としたため、ユニットを１８０度回転し左右反転してハウジング内に収納し、各連結部を連結することができ、ハウジングの入出力方向を反転させることができる。そのため、信号方向によりハウジングを回転する必要がなく、常に蓋体を道路に対向させることができる。
更に、回路全体を着脱可能な一個のユニット内に形成したものであるから、一回の反転操作で回路全体を一気に反転するため、各回路が分離されることが無く接続を間違える事もない。また、連結部材の数も最小限とすることができる。
【００２７】
また、ハウジング下部に設けた表示窓から、装着されたユニットの方向がわかるので、作業者は高周波増幅器の信号方向を間違える事がない。また、発光により表示することで、夜間の作業であっても、下から見上げるだけで、伝送信号の方向を容易に確認することができる。
更に、測定端子の位置はユニットの向きに関係なく同一位置であるので、信号端子や電力入力端子と間違える事がない。
【００２８】
尚、上記実施の形態では、本体の中心線とユニットの中心線とを一致させてユニットを装着しているが、必ずしも一致させる必要はなく、本体のユニット装着位置は、本体の中心線から変移しても良い。また、電力入力端子や一方の出力端子を使わない場合は盲栓により閉塞しておけばよいし、測定端子や、電力入力端子を設けず、ハウジング、ユニットとも左右側面に設ける端子は一対の入力端子，出力端子のみとしても良い。
【００２９】
【発明の効果】
以上詳述したように、請求項１の発明によれば、ユニットを左右反転してハウジングに装着できるので、ハウジングを回転することなくハウジングの入出力方向を反転させることができる。そのため、信号方向に拘わらず蓋体を道路に対向させることができ、メンテナンス等の作業を容易に行うことができる。
また、回路全体を一個のユニットとし、一回の反転操作で下りに加えて上り方向の信号増幅回路を含む回路全体を反転するものであるから、各回路の接続を間違える事がないし、連結部材も最小限とすることができる。更に双方向の信号を増幅することができる。
【００３０】
請求項２の発明によれば、ユニットの向きをハウジングを開けることなく確認できるので、作業者は信号方向を間違える事がない。
【００３１】
請求項３の発明によれば、測定端子の位置がユニットの向きに関係なく同一位置であるので、ケーブル接続端子と間違える事がない。
【図面の簡単な説明】
【図１】本発明に係る高周波増幅器の実施の形態の１例を示す外観図で（ａ）は正面図、（ｂ）は底面図、（ｃ）は右側面図である。
【図２】図１の蓋体を解放し、ユニットを取り出した様子を示す斜視図である。
【図３】図２のＡ部拡大図であり、ケーブル接続端子の構造を示し、（ａ）は平面図、（ｂ）は断面説明図、（ｃ）は（ｂ）のＮ−Ｎ矢視断面図である。
【図４】ユニット外観図を示し、（ａ）は正面図、（ｂ）は底面図、（ｃ）は右側面図である。
【図５】ユニットの連結部の構造を示し、（ａ）は図４（ｂ）のＢ視図であり、（ｂ）はＣ部斜視説明図である。
【図６】ユニットの回路ブロック図である。
【図７】従来の高周波増幅器を設置した様子を示し、（ａ）は標準状態の設置図、（ｂ）は上下反転した設置図、（ｃ）は左右反転した設置図である。
【符号の説明】
１・・ハウジング、２・・本体、３・・蓋体、４・・ヒンジ部、５，５ａ，５ｂ，５ｃ，５ｄ・・ケーブル接続端子、６・・入力端子部、７・・電力入力端子部、８・・出力端子部、９，９ａ，９ｂ・・測定端子部、１４・・表示窓、１６・・測定端子、１７・・ユニット、１８・・筐体、１９・・プリント基板、２０・・連結端子、２３・・受け金具、２５・・ネジ螺入孔、２８，２８ａ，２８ｂ・・表示孔、２９・・ＬＥＤ、２９ａ・・赤色ＬＥＤ、２９ｂ・・緑色ＬＥＤ、３０・・シールド壁、３０ａ・・端面、３２・・切り欠き、３４・・挾持片、３５・・連結孔、４０・・第１増幅部、４２・・第２増幅部。
【図１】
0004119007.tif 000002
【図２】
0004119007.tif 000003
【図３】
0004119007.tif 000004
【図４】
0004119007.tif 000005
【図５】
0004119007.tif 000006
【図６】
0004119007.tif 000007
【図７】
0004119007.tif 000008